(57)【特許請求の範囲】
【請求項１】
一端に接地ばね用窓が設けられたケースと、接地ばねがねじにより取り付けられるとともに、ケース内に挿入されてモジュールを形成し、接地ばねが接地ばね用窓から突出したプリント板と、ケースの接地ばね用窓側に取り付けられるとともに、接地ばね用窓から突出した接地ばねと接触したベースとを備え、
接地ばねを肩部を有するＵ字状に形成するとともに、その一端をプリント板に設けたガイド穴とスライド可能に係合させたことを特徴とする電子機器の接地構造。
【請求項２】
ケースの接地ばね用窓に接地ばねの肩部を乗せる肩受けを設け、肩受けの内側に接地ばねの挿入時テーパ部を設けるとともに、肩受けの外側に接地ばねの抜き出し時テーパ部を設けたことを特徴とする請求項１記載の電子機器の接地構造。
【請求項３】
ケースの接地ばね用窓の周囲に、突出した接地ばねを外力から保護する接地ばね用バリアを設けたことを特徴とする請求項１又は２記載の電子機器の接地構造。
【発明の詳細な説明】
【技術分野】
【０００１】
この発明は、プログラマブルコントローラ等の電子機器におけるモジュールとベースとの接地構造に関するものである。
【背景技術】
【０００２】
図６は従来の電子機器の接地構造を示し、表面に接地部を設けたプリント板１に金属ブロック２をねじ３により取り付けることにより、金属ブロック２はプリント板１の接地部となる。又、金属板４を取り付けたケース５にプリント板１を挿入し、金属板４を介してケース５に挿入したねじ６により金属ブロック２を止めることにより金属板４がプリント板１の接地部となる。又、ケース５とプリント板１からなるモジュールをベース７に取り付ける際にネジ６により取り付けることによりベース７が金属板４に確実に接地される。
【０００３】
この出願の発明に関連する先行技術文献情報としては、次のものがある。
【特許文献１】特開平８−１８１４６２号公報
【発明の開示】
【発明が解決しようとする課題】
【０００４】
しかしながら、図６に示した従来の電子機器の接地構造は、ねじ３及びねじ６の２箇所でねじ止めをしなければならず、作業性が悪く、コスト高となった。又、金属ブロック２及び金属板４を必要とし、これによってもコスト高になった。
【０００５】
この発明は上記のような課題を解決するために成されたものであり、組立作業性が良く、安価とすることができる電子機器の接地構造を得ることを目的とする。
【課題を解決するための手段】
【０００６】
この発明の請求項１に係る電子機器の接地構造は、一端に接地ばね用窓が設けられたケースと、接地ばねがねじにより取り付けられるとともに、ケース内に挿入されてモジュールを形成し、接地ばねが接地ばね用窓から突出したプリント板と、ケースの接地ばね用窓側に取り付けられるとともに、接地ばね用窓から突出した接地ばねと接触したベースとを備えた電子機器の接地構造において、接地ばねを肩部を有するＵ字状に形成するとともに、その一端をプリント板に設けたガイド穴とスライド可能に係合させたものである。
【０００７】
【０００８】
請求項２に係る電子機器の接地構造は、ケースの接地ばね用窓に接地ばねの肩部を乗せる肩受けを設け、肩受けの内側に接地ばねの挿入時テーパ部を設けるとともに、肩受けの外側に接地ばねの抜き出し時テーパ部を設けたものである。
【０００９】
請求項３に係る電子機器の接地構造は、ケースの接地ばね用窓の周囲に、突出した接地ばねを外力から保護する接地ばね用バリアを設けたものである。
【発明の効果】
【００１０】
以上のようにこの発明の請求項１によれば、プリント板に接地ばねをねじにより取り付けるとともに、このプリント板をケース内に挿入し、ケースの接地ばね用窓から突出した接地ばねをベースと接触させることにより、モジュールを接地ばねを介してベースと接地している。従って、接地ばねをケースにねじにより取り付ける必要がなく、組立作業性が向上し、安価にすることができる。特に、接地ばねを肩部を有するＵ字状に形成するとともに、その一端をプリント板に設けたガイド穴とスライド可能に係合させており、接地ばねのベースとの接触圧を調整することができ、寸法誤差等に容易に対応することができる。
【００１１】
【００１２】
請求項２によれば、ケースの接地ばね用窓に接地ばねの肩部を乗せる肩受けを設け、肩受けの内側に接地ばねの挿入時テーパ部を設けるとともに、肩受けの外側に接地ばねの抜き出し時テーパ部を設けており、接地ばねの肩部をケースの肩受けに乗せることにより組立が正常に行われているか否かを容易に確認することができるとともに、肩受けに接地ばねの挿入時テーパ部及び抜き出し時テーパ部を設けたので、接地ばねを取り付けたプリント板の取付、取り外しが簡単になる。
【００１３】
請求項３によれば、ケースの接地ばね用窓の周囲に、接地ばね用バリアを設けており、接地ばね用窓から突出した接地ばねを外力から保護することができる。
【発明を実施するための最良の形態】
【００１４】
以下、この発明を実施するための最良の形態を図面とともに説明する。図２はケース８及びプリント板９の斜視図、図３（ａ），（ｂ）は接地ばねを取り付けたプリント板を実装したケース、即ちモジュールの下部の背面図及び縦断側面図を示し、ケース８の後端には接地ばね用窓１０を設け、接地ばね用窓１０の左右両側には接地ばね用バリア１１を設ける。１２はプリント板９の接地ばね支持部９ａに取付ねじ１３により取り付けられた接地ばねであり、接地ばね１２は図４に示すように両端部１２ａ，１２ｂを有するＵ字状に形成されるとともに、後端には肩部１２ｃが形成され、一端部１２ａには突出部１２ｄが形成され、他端部１２ｂの近傍には取付ねじ１３のための取付孔１２ｅが形成される。また、ケース８の接地ばね用窓１０の下縁には肩部１２ｃを受ける肩受け１４が設けられる。１４ａ，１４ｂはケース８の肩受け１４の内側、外側に設けられた挿入時テーパ部及び抜き出し時テーパ部であり、９ｂはプリント板９に設けられ、接地ばね１２の突出部１２ｄがスライド可能に係合された接地ばね１２のガイド穴である。
【００１５】
接地ばね１２をプリント板９の接地部のパターンと接する部分に設け、この接地バネ１２をその取付孔１２ｅに挿入した取付ねじ１３により接地ばね支持部９ａに固定することにより、プリント板９の接地部となる。接地ばね１２はケース８にねじ止め等は不要である。接地ばね１２を取り付けたプリント板９をケース８に挿入する際には、接地ばね１２の肩部１２ｃを肩受け１４に乗り越えさせる。プリント板９はケース８に挿入するだけでケース８に嵌合固定される。接地ばね１２の肩部１２ｃをケース８の肩受け１４に乗り越え易くするために肩受け１４の内側に挿入時テーパ部１４ａを設ける。同様に、接地ばね１２の肩部１２ｃの抜き出し時に抜き出しを容易にするために肩受け１４の外側に抜き出し時テーパ部１４ｂを設ける。このようにすることにより、接地ばね１２の挿抜が可能となる。接地ばね用バリア１１はケース８の外面から接地ばね１２に外力が加わり、接地ばね１２が縮み過ぎて塑性変形しないために設ける。プリント板９をケース８の前端から挿入すると、接地ばね１２がケース８の接地ばね用窓１０から突出する。
【００１６】
次に、プリント板９をケース８に挿入して形成されるモジュール１６とベース１５との接地について図１及び図５により説明する。図１はこの実施最良形態の接地構造を有する電子機器の側面図を示し、図５はモジュール１６のケース８をベース１５に取り付けた状態の下部の縦断側面図である。１５ａはベース１５に設けられた引掛け部、１７はケース８の後端に設けられた引掛け部であり、この引っ掛け部１５ａ，１７を引掛け、引掛け部１５ａを中心にモジュール１６を回転させ、モジュール１６をベース１５に固定ねじ１８により固定する。その際、接地ばね１２はベース１５の接地部１５ｂと接触し、モジューロ１６は接地ばね１２を介してベース１５と接地される。接地ばね１２がベース１５の接地部１５ｂと接触すると、接地ばね１２の突出部１２ｄがプリント板９のガイド穴９ｂに沿って後ろ側にスライドしながら両端部１２ａ，１２ｂが上側に回転する。その間、接地ばね１２の後端はベース１５の接地部１５ｂと接触し続ける。
【００１７】
前記実施形態においては、プリント板９に接地ばね１２を取付ねじ１３により取り付けるとともに、ケース８内に挿入したプリント板９をケース８内に嵌合固定し、かつケース８の接地ばね用窓１０から突出した接地ばね１２をベース１５の接地部１５ｂと接触させており、プリント板９とケース８からなるモジュール１６は接地ばね１２を介してベース１５と接地される。このため、接地ばね１２をケース８にねじにより取り付ける必要がなく、組立作業性が向上し、安価にすることができる。又、接地ばね１２を肩部１２ｃを有するＵ字状に形成するとともに、その一端１２ａの突出部１２ｄをプリント板９に設けたガイド穴９ｂとスライド可能に係合させており、接地ばね１２の変形が容易で、接地ばね１２のベーウ１５との接触圧を調整することができ、寸法誤差等に容易に対応することができる。
【００１８】
又、ケース８の接地ばね用窓１０に接地ばね１２の肩部１２ｃを乗せる肩受け１４を設け、肩受け１４の内側及び外側に設置ばね１２の挿入時テーパ部１４ａ及び抜き出し時テーパ部１４ｂを設けており、接地ばね１２の肩部１２ｃをケース８の肩受け１４に乗せることにより組立が正常に行われているか否か、即ち接地ばね１２が途中で引っ掛かっていないか否かを容易に確認することができるとともに、挿入時テーパ部１４ａ及び抜き出し時テーパ部１４ｂを設けたことにより、接地ばね１２を取り付けたプリント板９の取付、取り外しを容易にすることができる。さらに、ケース８の接地ばね用窓１０の左右両側に設置ばね用バリア１１を設けており、接地ばね１２が不慮の外力により塑性変形することを防止することができる。
【図面の簡単な説明】
【００１９】
【図１】この発明の実施最良形態による接地構造を有する電子機器の側面図である。
【図２】この発明の実施最良形態によるケース及びプリント板の斜視図である。
【図３】この発明の実施最良形態によるプリント板を実装したケースの下部の背面図及び縦断側面図である。
【図４】この発明の実施最良形態による接地ばねの斜視図である。
【図５】この発明の実施最良形態によるケースをベースに取り付けた状態の下部の縦断側面図である。
【図６】従来の電子機器の接地構造の分解斜視図である。
【符号の説明】
【００２０】
８…ケース
９…プリント板
９ａ…接地ばね支持部
９ｂ…ガイド穴
１０…接地ばね用窓
１１…接地ばね用バリア
１２…接地ばね
１２ｃ…肩部
１３…取付ねじ
１４…肩受け
１４ａ…挿入時テーパ部
１４ｂ…引き出し時テーパ部
１５…ベース
１５ａ，１７…引っ掛け部
１５ｂ…接地部
１６…モジュール
１８…固定ねじ
【図１】
0005070994.tif 000002
【図２】
0005070994.tif 000003
【図３】
0005070994.tif 000004
【図４】
0005070994.tif 000005
【図５】
0005070994.tif 000006
【図６】
0005070994.tif 000007